(57)【要約】【課題】広範囲に飛散防止剤を散布することができる飛散防止剤散布装置を提供する。【解決手段】散布対象範囲に飛散防止剤１２を散布する飛散防止剤散布装置１において、飛散防止剤１２を収容するタンク２と、タンク２から飛散防止剤１２が供給されて飛散防止剤１２を噴出するノズルユニット３と、タンク２およびノズルユニット３を支持する支持部４と、支持部４を揚重して移動させる揚重部５と、ノズルユニット３および揚重部５を遠隔操作可能な操作部と、を有し、ノズルユニット３には、飛散防止剤１２を略水平方向に噴出する複数の噴出口３４が互いに間隔を開けて配置されている。【選択図】図１
2018053592.tif 000002
【特許請求の範囲】
【請求項１】
散布対象範囲に飛散防止剤を散布する飛散防止剤散布装置において、
前記飛散防止剤を収容するタンクと、
前記タンクから前記飛散防止剤が供給されて前記飛散防止剤を噴出するノズルユニットと、
前記タンクおよび前記ノズルユニットを支持する支持部と、
前記支持部を揚重して移動させる揚重部と、
前記ノズルユニットを遠隔操作可能な操作部と、を有し、
前記ノズルユニットには、前記飛散防止剤を略水平方向に噴出する複数の噴出口が互いに間隔を開けて配置されていることを特徴とする飛散防止剤散布装置。
【請求項２】
前記ノズルユニットは、前記支持部から下方に突出するとともに平面視における外形が前記支持部の外形より小さいアームに装着されていることを特徴とする請求項１に記載の飛散防止剤散布装置。請求項１に記載の飛散防止剤散布装置。
【請求項３】
前記支持部を旋回させる旋回部を有することを特徴とする請求項１又は２に記載の飛散防止剤散布装置。
【発明の詳細な説明】
【技術分野】
【０００１】
本発明は、防塵のために水や薬液などの飛散防止剤を散布する飛散防止剤散布装置に関する。
【背景技術】
【０００２】
従来、構造物の解体など粉塵が発生する作業において、防塵のために粉塵のある領域に水や薬液などの飛散防止剤を散布する飛散防止剤散布装置が知られている。例えば、特許文献１には、防塵の対象となる構造物の外周に足場を設け、この足場から構造物に散水する飛散防止剤散布装置が開示されている。
【先行技術文献】
【特許文献】
【０００３】
【特許文献１】特開２００４−１６９４６１号公報
【発明の概要】
【発明が解決しようとする課題】
【０００４】
しかしながら、特許文献１に開示された飛散防止剤散布装置では、構造物の外周に設けられた足場から飛散防止剤を散布するため、構造物の壁部の広い範囲や、構造物の内部の広い範囲に飛散防止剤を散布することが困難である。
【０００５】
そこで、本発明は、広範囲に飛散防止剤を散布することができる飛散防止剤散布装置を提供することを目的とする。
【課題を解決するための手段】
【０００６】
上記目的を達成するため、本発明に係る飛散防止剤散布装置は、散布対象範囲に飛散防止剤を散布する飛散防止剤散布装置において、前記飛散防止剤を収容するタンクと、前記タンクから前記飛散防止剤が供給されて前記飛散防止剤を噴出するノズルユニットと、前記タンクおよび前記ノズルユニットを支持する支持部と、前記支持部を揚重して移動させる揚重部と、前記ノズルユニットを遠隔操作可能な操作部と、を有し、前記ノズルユニットには、前記飛散防止剤を略水平方向に噴出する複数の噴出口が互いに間隔を開けて配置されていることを特徴とする。
【０００７】
本発明では、タンクおよびノズルユニットを支持する支持部が揚重部により揚重して移動できるとともに、ノズルユニットを遠隔操作により移動および作動できる。そのため、散布対象範囲にノズルユニットを移動させて飛散防止剤を散布でき、たとえ容易に立ち入ることのできない場所に存在する壁部であっても、広範囲に飛散防止剤を散布することができる。
【０００８】
しかも、ノズルユニットには、飛散防止剤を略水平方向に散布する複数の噴出口が、間隔を開けて配置されているため、飛散防止剤を複数個所から水平方向に散布することができ、広範囲に飛散防止剤を散布することができる。
【０００９】
また、本発明に係る飛散防止剤散布装置では、前記ノズルユニットは、前記支持部から下方に突出するとともに平面視における外形が前記支持部の外形より小さいアームに装着されていてもよい。
ノズルユニットが支持部から下方に突出したアームに装着されていて、このアームの平面視の外形が支持部の外形よりも小さいため、支持部を揚重して下降させることで、支持部が進入できない細幅の空間にアームを挿入して飛散防止剤を散布できる。例えば、散布対象範囲の近傍に障害物が配置されていても、散布対象範囲と障害物との間にアームを挿入して壁部に飛散防止剤を散布することができる。
【００１０】
また、本発明に係る飛散防止剤散布装置では、前記支持部を旋回させる旋回部を有していてもよい。
旋回部で支持部を旋回させることにより、ノズルユニットを所望の位置に配置することができる。また、ノズルユニットを旋回させながら飛散防止剤を散布することにより、飛散防止剤を広範囲において均等に散布することができる。
【発明の効果】
【００１１】
本発明によれば、広範囲に飛散防止剤を散布することができる。
【図面の簡単な説明】
【００１２】
【図１】本発明の実施形態に係る飛散防止剤散布装置の装置本体を示す斜視図である。
【図２】本発明の実施形態に係る飛散防止剤散布装置の使用状態を示す概略図である。
【図３】本発明の実施形態に係る飛散防止剤散布装置の散布装置本体の側面図で、回動するアームを示した図である。
【図４】本発明の実施形態に係る飛散防止剤散布装置の散布装置本体の正面図である。
【発明を実施するための形態】
【００１３】
以下、本発明の実施形態による飛散防止剤散布装置について、図１乃至図４に基づいて説明する。
図１乃至図４に示す本発明の実施形態による飛散防止剤散布装置１は、解体される構造物１１（図２参照）の内部の散布対象範囲に屋外から水や薬液などの飛散防止剤１２を散布して、解体時の粉塵の飛散を防止するための装置である。例えば、原子力発電所の解体時に、放射性物質で汚染された粉塵の飛散を防止するために使用される。
【００１４】
飛散防止剤散布装置１は、飛散防止剤１２を収容するタンク２と、タンク２から飛散防止剤１２が供給されて壁部１３に飛散防止剤１２を噴出するノズルユニット３と、タンク２およびノズルユニット３などを支持する支持部４と、支持部４を揚重して移動させるように構造物１１の外部に配置されたクレーン装置などの揚重部５と、ノズルユニット３および揚重部５などを遠隔操作可能な操作部（不図示）と、支持部４を旋回させる旋回部６と、を有している。
【００１５】
また、飛散防止剤散布装置１は、タンク２からノズルユニット３へ飛散防止剤１２を圧送するポンプユニット７１、旋回部６およびポンプユニット７１等の各部に電力を供給する給電部としての発電機７２、各部を制御する制御盤７３、追尾用のプリズム７４やネットワークアンテナ７５などを有し、これらが支持部４に支持されている。
【００１６】
支持部４は、枠材により平面視で四角形等の多角形形状に形成されている。下端側には脚部４１が設けられ、上端側の四方の隅部には吊下部４２が設けられている。
支持部４は上下に複数段に区画されており、上段にはタンク２が支持され、下段にはノズルユニット３、旋回部６、ポンプユニット７１、発電機７２等の設備が支持されている。
支持部４に各設備が支持されることで、揚重可能な散布装置本体１０が構成されている。
【００１７】
タンク２は、約３ｍ３の飛散防止剤１２を収容可能に構成され、円柱形状を有している。タンク２には水、薬液、粘性流体などの飛散防止剤が収容されている。
タンク２は支持部４の最上段に載置されており、下段に支持された設備の少なくとも一部と上下に重なる位置に配置されている。
また散布装置本体１０の平面視における重心位置がタンク２に収容された飛散防止剤１２の量に拘わらず所定範囲内、好ましくは一定となるように、タンク２が支持部４に配置されている。
【００１８】
支持部４の下部には、図３に示すように、下方に突出するとともに平面視の外形が支持部４より小さいアーム４３が装着されている。このアーム４３は、側面視において支持部４の枠体４０に比べて厚みが小さく形成されている。
アーム４３は、支持部４に略水平方向に延びる回動軸を中心に回動可能に支持されており、鉛直方向の下側の位置から傾斜位置を介して水平方向の横側の位置まで回動可能に構成されている。アーム４３には、下側に突出した状態における下端側にノズルユニット３が装着されており、下端には接地可能なキャスタ４４が装着されている。
【００１９】
なお、アーム４３は、使用時の飛散防止剤１２を散布する際に、下方に突出した状態となっており、不使用時の散布装置本体１０が倉庫などに収容される際に、回動して側方に突出した状態となっている。また、キャスタ４４は、不使用時に地面や床面を走行し散布装置本体１０を移動させる際に使用される。
【００２０】
ノズルユニット３は、アーム４３の下端部近傍においてアーム４３の回動軸と略平行となる水平方向に延びる供給配管３５と、供給配管３５に供給配管３５の延在方向に互いに間隔を開けて配置されたノズル本体３１と、を有している。ノズル本体３１には、それぞれ飛散防止剤１２を噴出する噴出口３４が設けられている。
各ノズル本体３１に設けられた噴出口３４は、それぞれ供給配管３５の延在方向と略直交する略水平方向の一方側に飛散防止剤１２を噴出可能に構成されている。
ノズルユニット３から噴出される飛散防止剤１２は、水や薬液などの液体だけでなく、ミストなどの気体が混ざった液体でもよい。
【００２１】
ポンプユニット７１は、タンク２からノズルユニット３の供給配管３５へ飛散防止剤１２を加圧して供給する手段であり、ノズルユニット３への供給と停止とを切り替える電磁弁などを有している。
ポンプユニット７１の電磁弁の開閉制御およびポンプユニット７１のＯＮ／ＯＦＦ制御が操作部から遠隔操作可能に構成されている。
【００２２】
旋回部６は、支持部４に固定して設けられており、旋回部６の駆動によって揚重部５に吊下された支持部４を旋回可能に構成されている。
旋回部６は、支持部４の長手方向の両側に設けられており、支持部４に固定された送風機６１と、送風機６１の空気流を排出する旋回ダクト６２と、を有している。旋回ダクト６２は支持部４においてノズルユニット３が配置された一側方側とは異なる側方側に配置されている。送風機６１および旋回ダクト６２は発電機７２から給電され、操作部からの遠隔操作により制御可能に構成されている。
【００２３】
旋回ダクト６２は、それぞれ軸線が略Ｌ字形状となるように屈曲した部材で、空気が流入する一方側の軸線が水平方向に延びる向きに配置され、空気が排出される他方側が一方側との接続部から屈曲した向きに開口している。旋回ダクト６２は、一方側の軸線を中心に回動可能に支持部４に設けられている。この旋回ダクト６２の一方側の軸線を回動軸線６２ａとする。
【００２４】
旋回ダクト６２の他方側の端部の吹出し口６２ｂから空気が排出されると、排出された空気流の反力によって支持部４が旋回するような偶力が発生する。その結果、支持部４が水平面内において旋回する。支持部４の旋回は、揚重部５に吊り下げられた吊り芯を中心としている。
旋回ダクト６２を回動軸線６２ａを中心に回動させることで、後端部の吹出し口６２ｂが開口する向きを調整することができる。これにより、旋回ダクト６２から排出される空気流の向きを調整することができ、支持部４の旋回方向を調整することができる。
なお、吹出し口６２ｂが開口する方向を鉛直方向上側とすると、支持部４は水平面内における旋回が停止される。
【００２５】
支持部４の向きを変更する場合は、旋回ダクト６２から排出される空気流の向きを調整するように旋回ダクト６２を回動させる。支持部４の向きが所望の向きとなったら、旋回ダクト６２の吹出し口６２ｂを上方に向いた状態として、旋回ダクト６２の回動を停止させる。
本実施形態では、旋回部６およびノズルユニット３は、旋回ダクト６２の吹出し口６２ｂから排出された空気がノズルユニット３にあたらないように支持部４に設けられている。
このようにすることにより、ノズルユニット３から噴出された飛散防止剤１２の散布が旋回ダクト６２の空気流で乱されることを防止できる。さらに飛散防止剤１２を散布される散布対象範囲に旋回ダクト６２の空気流が吹付けられることも防止できる。
【００２６】
以上のような飛散防止剤散布装置１により飛散防止剤１２を散布する方法について説明する。
本実施形態では、構造物１１の外周囲の地上付近が防風カバー１４により覆われており、構造物１１の壁部１３と防風カバー１４との間から構造物１１の内部に飛散防止剤１２を散布している。なお、壁部１３には開口部が形成されていて、壁部１３と防風カバー１４との間から水平方向に噴出された飛散防止剤１２が開口部を通じて構造物１１の内部に散布される。
まず、タンク２に飛散防止剤１２を収容した状態で、遠隔操作により揚重部５で散布装置本体１０を揚重し、揚重部５を解体する構造物１１の壁部１３の近傍まで移動させる。
遠隔操作により旋回部６を作動させて散布装置本体１０を旋回させ、ノズルユニット３および複数のノズル本体３１の噴出口３４を構造物１１の壁部１３と対向させる。
遠隔操作により散布装置本体１０を下降させ、ノズルユニット３およびアーム４３を構造物１１の壁部１３と防風カバー１４との間に上側から挿通させる。
【００２７】
遠隔操作によりポンプユニット７１を作動させることで、飛散防止剤１２を複数の噴出口３４から噴出し、構造物１１の内部に飛散防止剤１２を散布する。
【００２８】
次に、上述した飛散防止剤散布装置１の作用効果について図面を用いて説明する。
上述した本実施形態による飛散防止剤散布装置１では、タンク２およびノズルユニット３を支持する支持部４が揚重部５により揚重して移動できるとともに、ノズルユニット３および揚重部５を遠隔操作により移動および作動できる。そのため、構造物１１の内部の広い範囲にノズルユニット３を移動させて飛散防止剤１２を散布でき、たとえ容易に立ち入ることのできない場所に存在する壁部１３であっても、広い範囲に飛散防止剤１２を散布することができる。
しかもノズルユニット３には飛散防止剤１２を水平方向に噴出する複数の噴出口３４が間隔を開けて設けられているため、飛散防止剤１２を広い幅範囲に散布すことができる。
【００２９】
また、ノズルユニット３が支持部４から下方に突出したアーム４３に装着されていて、このアーム４３の平面視の外形が支持部４より小さいため、支持部４を揚重して下降させることで、支持部４が進入できない細幅の空間（本実施形態では、構造物１１の壁部１３と防風カバー１４との間）にアーム４３を挿入して飛散防止剤１２を散布できる。
【００３０】
また、旋回部６で支持部４を旋回させることにより、揚重された支持部４の向きを調整することができる。
【００３１】
また平面視における重心位置が飛散防止剤１２の量に拘わらず所定範囲内となるように、タンク２が支持部４に配置されている。そのため飛散防止剤１２を構造物１１の内部の広い範囲に散布することで、飛散防止剤１２を収容したタンク２の重量が大きく変動しても、飛散防止剤散布装置１の重心位置が大きく変化しない。これにより飛散防止剤１２の散布中に、揚重された支持部４の旋回等の操作性を安定に保つことができ、大容量のタンク２を装着して大量の拡散防止剤を遠隔操作で容易に散布することができる。
【００３２】
以上、本発明による飛散防止剤散布装置１の実施形態について説明したが、本発明は上記の実施形態に限定されるものではなく、その趣旨を逸脱しない範囲で適宜変更可能である。
上記の実施形態では、飛散防止剤散布装置１を原子力発電所の解体時に放射性物質で汚染された領域で使用したが、使用用途は特に限定されるものではない。例えば、アスベストを用いた構造物１１の解体時にアスベストの飛散を防止するために使用するなど、人が容易に立ち入ることのできない各種の場所に設置された構造物１１において使用することができる。さらに、飛散防止剤散布装置１は、人が立ち入ることが可能な場所において使用してもよい。
【００３３】
また、上記の実施形態では、飛散防止剤散布装置１で構造物１１の壁部１３と防風カバー１４との間から構造物１１の内部に飛散防止剤１２を散布しているが、構造物１１の壁部１３と防風カバー１４との間にノズルユニット３を挿し込まずに、構造物１１の内部や壁部１３などに飛散防止剤１２を散布してもよい。このとき、揚重部５および旋回部６を遠隔操作することによって散布装置本体１０の位置や向きを変えながら飛散防止剤１２を散布してもよい。
さらに、飛散防止剤散布装置１で構造物１１の外部にある飛散対象範囲に飛散防止剤１２を散布してもよい。
【００３４】
また、上記の実施形態では、ノズルユニット３１に３つの噴出口３４が設けられているが、２つや４つ以上の噴出口３４が設けられていてもよい。これらの噴出口３４の配置は適宜設定されてよい。
また、上記の実施形態では、旋回部６を有しているが、旋回部６が設けられていなくてもよい。また、上記の実施形態では、旋回部６として空気流を排気する旋回ダクト６２を用いたが、揚重された支持部４を所望の向きに旋回できれば他の旋回手段を用いてもよい。
【００３５】
また、上記の実施形態では、支持部４から下方に突出したアーム４３が設けられておりノズルユニット３がアーム４３に設けられているが、アーム４３がが設けられておらず、ノズルユニット３が支持部に直接設けられていてもよい。
また、上記の実施形態では、アーム４３は、支持部４に対して回動可能に構成されているが、回動しない形態であってもよい。また、アーム４３にキャスタ４４が装着されていなくてもよい。
また、上記の実施形態では、給電部として発電機７２を装着したが蓄電池など他の構造であってもよい。
【符号の説明】
【００３６】
１  飛散防止剤散布装置
２  タンク
３  ノズルユニット
４  支持部
５  揚重部
６  旋回部
１０  散布装置本体
１１  構造物
１２  飛散防止剤
１３  壁部
１４  防風カバー
３１  ノズル本体
３４  噴出口
４３  アーム
【図１】
2018053592.tif 000003
【図２】
2018053592.tif 000004
【図３】
2018053592.tif 000005
【図４】
2018053592.tif 000006